(57)【要約】      （修正有）【課題】国内外のシティホテルの在来浴室に使用されている鋳物ホーロー浴槽の補修方法として、浴槽を交換する場合はコストと工期が嵩み、吹きつけ塗装工事では剥がれて補修後の状態を長期間保障できないため、工期を短縮してコストを抑える補修方法を提供する。【解決手段】三次元測定機又は他の計量器の測定結果による実測により作成された木型に基づいて製作された被補修浴槽１の内側に嵌着可能な嵌着用カバー浴槽２と、嵌着用カバー浴槽を被補修浴槽の内側に嵌着固定する接着性パッキンと、嵌着用カバー浴槽を接着性パッキンを介して被補修浴槽の内側に嵌着固定する工程において、嵌着用カバー浴槽の排水管を被補修浴槽の排水管の排水合流部の内側に当接されるように構成する。【選択図】図１
2018075335.tif 000002
【特許請求の範囲】
【請求項１】
被補修浴槽の内側に嵌着可能な嵌着用カバー浴槽を製作し、該嵌着用カバー浴槽を、接着性パッキンを介して被補修浴槽の内側に嵌着固定することを特徴とする浴槽の補修方法とその構造。
【請求項２】
被補修浴槽の内側に嵌着可能な嵌着用カバー浴槽の製作は、非接触型の高精度ハンディ３Ｄスキャナーで被被補修浴槽をスキャンし、画像取り込み後にデータを３Ｄに変換して製作図面を作成し、該製作図面に基づき木型を作成し、該木型に基づき、被補修浴槽より５ｍｍ〜１０ｍｍ程度小さいアクリルの浴槽を製作し、被補修浴槽に被せて施工することを特徴とする請求項１記載の浴槽の補修方法とその構造。
【請求項３】
被補修浴槽の内側に嵌着可能な嵌着用カバー浴槽の外形寸法は、縦横寸法が被補修浴槽の内側寸法より約５ｍｍ〜１０ｍｍ短縮されており、被補修浴槽の内側に嵌着する際は、接着性パッキン又はコーキング材を介して嵌着固定することを特徴とする請求項１記載の浴槽の補修方法とその構造。
【請求項４】
嵌着用カバー浴槽の排水管が、被補修浴槽の排水合流部に当接され、オーバーフロー孔からのオーバーフロー溢水と合流することを特徴とする請求項１記載の浴槽の補修方法とその構造。
【発明の詳細な説明】
【技術分野】
【０００１】  本発明は浴槽の補修方法とその構造に関するもので、特に本発明の浴槽の補修方法とその構造は、被補修浴槽の内側に嵌着可能な嵌着用カバー浴槽を製作し、該嵌着用カバー浴槽を接着性パッキンを介して被補修浴槽の内側に嵌着固定する工法を特徴とする浴槽の補修方法とその構造である。【０００２】  また、被補修浴槽の内側に嵌着可能な嵌着用カバー浴槽の制作は、三次元測定機による測定又は他の計量器の測定結果による実測に基づき木型を製作し、該木型に基づいて、嵌着用カバー浴槽を製作することを特徴とする浴槽の補修方法とその構造を提供するものである。【０００３】  また、本発明によれば、嵌着用カバー浴槽の排水管の外径が被補修対象浴槽の排水管の内径より小さく形成されており、嵌着用カバー浴槽を、接着性パッキン又はコーキングを介して被補修浴槽の内側に嵌着固定する工程において、嵌着用カバー浴槽の排水管が被補修浴槽の排水管当接されることを特徴とする浴槽の補修方法とその構造を提供するものである。
【背景技術】
【０００４】  従来、種々の浴槽の補修方法が提案されているが、例えば、傷や汚れのついた或いは使用済のＦＲＰ浴槽を新品同様に補修することを目的として、浴槽の内側にエポキシ樹脂系下塗り塗膜層を形成し、その上にアクリルウレタン樹脂からなる上塗り塗膜層を形成してなる補修方法があり、更に上記の両塗膜層間に中塗り柄意匠塗膜層を施すものがあった。
【先行技術文献】
【０００５】
【特許文献１】  特開平２０００−２８７８６０号公報
【０００６】  しかしながら、このような塗膜層による補修では、塗膜が剥がれ易く、工事のやり直しになることが多かった。
【０００７】  これに対し、本発明の浴槽の補修方法とその構造においては、既存の被補修浴槽の内側に嵌着用カバー浴槽を嵌着固定する工法であるから、前記のように剥がれてしまうことはなく、既存の被補修浴槽の内側に別途製作した嵌着用カバー浴槽が完全に密着して固定されるので、既存の被補修浴槽の補修を完全に実施することができる。
【発明の開示】
【発明が解決しようとする課題】
【０００８】  従来、国内外のシティホテルの在来浴室にはかなりの頻度で鋳物ホーロー浴槽が設置されている。この浴槽を綺麗にするには、浴槽を交換しなければならないが、防水工事や左官工事、タイル工事が付随するので、コストと工期が嵩んでしまうが、コストを削減するために吹きつけ塗装工事を行う場合があった。【０００９】  しかしながら、塗装工事の場合は剥がれてしまうことが多く、補修後の状態を長期間保障できることが望まれているので、これを解決する工法が必要になっている。
【課題を解決するための手段】
【００１０】  本発明に基づく浴槽の補修方法とその構造は、前記せる課題を解決するために発明されたものであり、その工程は以下に示す通りである。
以下、図面に基づき、本発明の構成を説明する。【００１１】  本発明の浴槽の補修方法とその構造は以下のように構成されるものである。
被補修浴槽１の内側に嵌着可能な嵌着用カバー浴槽２を製作し、図１に示すように、該嵌着用カバー浴槽２を、接着性パッキン３又はコーキングを介して被補修浴槽１の内側に嵌着固定することが本発明の基本である。【００１２】  被補修浴槽１の内側に嵌着可能な嵌着用カバー浴槽２の製作において、三次元測定機による被補修浴槽１の測定又は計量器の測定結果による実測値に基づき、木型を製作し、該木型に基づいて、嵌着用カバー浴槽２を製作することができる。【００１３】  被補修浴槽の内側に嵌着可能な嵌着用カバー浴槽の外形寸法は、縦横寸法が被補修浴槽の内側寸法より５ｍｍ〜１０ｍｍ短縮されていることを特徴とする浴槽の補修方法とその構造である。【００１４】  嵌着用カバー浴槽２の排水管２４の外径を被補修浴槽１の排水管１２の内径より小さく形成し、嵌着用カバー浴槽２を、接着性パッキン３を介して被補修浴槽１の内側に嵌着する工程において、嵌着用カバー浴槽２の排水管２４が被補修浴槽１の排水管１２の内側に当接されている。【００１５】  被補修浴槽１の内側に嵌着可能な嵌着用カバー浴槽２の製作は、前記せるように、三次元測定機による被補修浴槽１の測定又は計量器の測定結果による実測値に基づき、木型を製作し、該木型に基づいて、嵌着用カバー浴槽２を製作することができる。
【発明の効果】
【００１６】  従来、損傷の激しい浴槽を綺麗にするには、浴槽を交換しなければならないが、防水工事や左官工事、タイル工事が付随するので、コストと工期が嵩んでしまうが、コストを削減するために吹きつけ塗装工事を行う場合があった。【００１７】  しかしながら、塗装工事の場合は剥がれてしまうことが多く、補修後の状態を長期間保障できることが望まれているので、これを解決する工法が必要になっている。【００１８】  本発明では、被補修浴槽の内側に嵌着可能な嵌着用カバー浴槽の外形寸法が、縦横寸法が被補修浴槽の内側寸法より５ｍｍ〜１０ｍｍ短縮されて製作されているので、図１乃至図２に示すように、該嵌着用カバー浴槽２を、接着性パッキン３を介して被補修浴槽１の内側に嵌着固定することができる。
【図面の簡単な説明】
【００１９】
【図１】  本発明に係る浴槽の補修方法及び構造を表す浴槽の斜視図である。
【図２】  補修の完了した浴槽縁部の部分断面図である。
【図３】  補修の完了した浴槽の排水口周辺の部分断面図である。
【発明を実施するための形態】
【００２０】  以下、図面に示す実施例に基づき、本発明を実施するための形態を具体的に説明する。
【００２１】  図１では、被補修浴槽１の内側に嵌着可能な嵌着用カバー浴槽２を製作し、該嵌着用カバー浴槽２を、接着性パッキン３を介して被補修浴槽１の内側に嵌着固定する浴槽の補修方法とその構造を示されている。
【００２２】  被補修浴槽１の内側に嵌着可能な嵌着用カバー浴槽２の製作は、三次元測定機による被補修浴槽の測定又は計量器の測定結果による実測値に基づき、木型を製作し、次いで、該木型に基づいて嵌着用カバー浴槽２を製作することができ、被補修浴槽１の内側に嵌着用カバー浴槽２を嵌着させるカバー工法が本発明の基本となる浴槽の補修方法である。
【００２３】  図２では、補修の完了した浴槽縁部の部分断面を示している。
被補修浴槽縁部１１と嵌着用カバー浴槽縁部２１は接着性パッキン３を介して固定されており、被補修浴槽１の内側と嵌着用カバー浴槽２の外側とが接着性パッキン３を介して強固に固定されている。
【００２４】  図３に示すように、嵌着用カバー浴槽２の排水管２４は、被補修浴槽１の排水管１２の内径より小さく形成されており、嵌着用カバー浴槽２を、接着性パッキン３を介して被補修浴槽１の内側に嵌着する工程において、嵌着用カバー浴槽２の排水管２４が被補修浴槽１の排水管１２の内側に当接され、排水合流部２５において、オーバーフロー孔２６から溢れる排水と合流する。
【００２５】  図３に示すように、嵌着用カバー浴槽２の排水管２４の外径は、被補修浴槽１の排水管１２の内径より小さく形成されているので、嵌着用カバー浴槽２を、接着性パッキン３を介して被補修浴槽１の内側に嵌着する工程において、嵌着用カバー浴槽２の排水管２４が被補修浴槽の排水管１２の内側に容易に当接されるように構成されている。
【００２６】  そして、図３では、嵌着用カバー浴槽２の底部と被補修浴槽１の底部との固定が接着性パッキン３によって強固に固定されていることが示されている。
【００２７】  なお、被補修浴槽１の内側に嵌着可能な嵌着用カバー浴槽２の製作は、公知のＦＲＰの成形方法によって製作することもできる。
【符号の説明】
【００２８】  １    被補修浴槽
１１    被補修浴槽縁部
１２    被補修浴槽の排水管
２    嵌着用カバー浴槽
２１    嵌着用カバー浴槽縁部
２２    嵌着用カバー浴槽排水口
２３    排水口キャップ
２４    嵌着用カバー浴槽排水管
２５    排水合流部
２６    オーバーフロー孔
２７    排水口キャップ保持チェーン
３    接着性パッキン
３１    オーバーフロー液ガイド
４    浴室床面
４１    浴室床面排水口
【図１】
2018075335.tif 000003
【図２】
2018075335.tif 000004
【図３】
2018075335.tif 000005